(57)【特許請求の範囲】
【請求項１】
粒状または粉状の穀物または果実が流れる経路において、この経路の穀物または果実が流れる側とその外側とを隔離する強磁性体または磁性体以外の素材からなる湾曲した隔離体に対して、この隔離体の外側に装着される、この穀物または果実の流れに沿って長い、強磁性体または磁性体以外の素材からなる複数の収納体と、
この収納体に収納される複数の磁石であって、この複数の磁石は互いにＮ極どうしまたはＳ極どうしを対向させかつ接近させて収納される複数の磁石と、を備え、
上記収納体の内壁面と上記磁石との隙間は、当該磁石の大きさより小さいかまたは無く、これにより上記Ｎ極どうしまたはＳ極どうしの反発によって、上記複数の磁石の順番が変更されないように規制され、
上記磁石のＮ極どうしまたはＳ極どうしの間隔は、当該磁石の大きさより小さく、
隣り合う上記収納体における各磁石のＮ極とＳ極の配列の順番は同じであり、
上記複数の磁石と上記湾曲した隔離体との間隔は、当該磁石の大きさより小さく、
上記複数の磁石及びその収納体それぞれは、上記湾曲した隔離体の外側に、この湾曲の方向に沿って順次配置され、  この複数の磁石及びその収納体のそれぞれの長手方向が、上記穀物または果実の流れに沿って配置されるとともに、上記隔離体の湾曲の無い方向に沿って配置される、
上記穀物内または果実内に混入した強磁性体または磁性体の異物を吸着することを特徴とする穀物または果実から異物を除去する装置。
【請求項２】
粒状または粉状の穀物または果実が流れる経路において、この経路の穀物または果実が流れる側とその外側とを隔離する強磁性体または磁性体以外の素材からなる隔離体に対して、この隔離体の外側に装着される、この穀物または果実の流れに沿って長い、強磁性体または磁性体以外の素材からなる収納体と、
この収納体に収納される複数の磁石であって、この複数の磁石は互いにＮ極どうしまたはＳ極どうしを対向させかつ接近させて収納される複数の磁石と、
上記隔離体において、上記複数の磁石及びその収納体の装着される位置から、上記穀物または果実の流れの下流側には、当該流れから異物が退避して外れ、上記複数の磁石によって吸着された異物が入る、上記隔離体が外側へ膨らんで設けられた退避部と、を備え、
上記穀物内または果実内に混入した強磁性体または磁性体の異物を吸着することを特徴とする穀物または果実から異物を除去する装置。
【請求項３】
粒状または粉状の穀物または果実が流れる経路において、この経路の穀物または果実が流れる側とその外側とを隔離する隔離体に対して、この隔離体の内側に装着される支持体と、
この支持体に装着される、上記穀物または果実の流れに沿って長い、強磁性体または磁性体以外の素材からなる収納体と、
この収納体に収納される複数の磁石であって、この複数の磁石は互いにＮ極どうしまたはＳ極どうしを対向させかつ接近させて収納される複数の磁石と、
上記隔離体において、上記複数の磁石及びその収納体の装着される位置から、上記穀物または果実の流れの下流側には、当該流れから異物が退避して外れ、上記複数の磁石によって吸着された異物が入る、上記隔離体が外側へ膨らんで設けられた退避部と、を備え、
上記穀物内または果実内に混入した強磁性体または磁性体の異物を吸着することを特徴とする穀物または果実から異物を除去する装置。
【請求項４】
粒状または粉状の穀物または果実が流れる経路において、この経路の穀物または果実が流れる側とその外側とを隔離する隔離体に対して、この隔離体の内側に装着される支持体と、
この支持体に装着される、上記穀物または果実の流れに沿って長い、強磁性体または磁性体以外の素材からなる収納体と、
この収納体に収納される複数の磁石であって、この複数の磁石は互いにＮ極どうしまたはＳ極どうしを対向させかつ接近させて収納される複数の磁石と、
上記複数の磁石及びその収納体が装着される付近の隔離体の内側の、上記穀物または果実の流れのやや上流に装着され、当該流れに沿って絞られるとともに、上記複数の磁石及びその収納体に向かって絞られるテーパー体と、を備え、
このテーパー体の上記流れの下流側の先端から、上記複数の磁石及びその収納体の先端は、上記流れの上流に向かって突出している、
上記穀物内または果実内に混入した強磁性体または磁性体の異物を吸着することを特徴とする穀物または果実から異物を除去する装置。
【請求項５】
上記複数の磁石及びその収納体は、上記隔離体に対して着脱自在であることを特徴とする請求項１または２記載の穀物または果実から異物を除去する装置。
【請求項６】
上記複数の収納体は同形同大の同じものであり、これら複数の収納体に収納される各磁石は同形同大の同じものであり、
上記複数の磁石及びその収納体のそれぞれは、互いに等間隔で配置されるとともに、上記隔離体に対しても等間隔で配置されることを特徴とする請求項５記載の穀物または果実から異物を除去する装置。
【請求項７】
上記突出の量は、上記収納体に収納される複数の磁石の個数の５％乃至９０％であることを特徴とする請求項４記載の穀物または果実から異物を除去する装置。
【請求項８】
上記複数の磁石及びその収納体の、上記流れの上流側の先端は尖っていることを特徴とする請求項３、４または７記載の穀物または果実から異物を除去する装置。
【請求項９】
上記隔離体は長尺の筒状であり、この筒内を上記粒状または粉状の穀物または果実が流れ、この流れは風圧による、または穀物または果実の自重によることを特徴とする請求項６または８記載の穀物または果実から異物を除去する装置。
【請求項１０】
上記穀物内または果実内に混入して除去される異物は、粒状の穀物または果実の粒子の大きさより小さい、略同じ大きさまたは大きい、若しくは粉状の穀物または果実の粒子の大きさより大きい、略同じ大きさまたは小さいことを特徴とする請求項９記載の穀物または果実から異物を除去する装置。
【発明の詳細な説明】
【技術分野】
【０００１】
本発明は、穀物または果実から異物を除去する装置に関し、特に精米設備または精米機などの穀物または果実を処理する装置などにおいて、穀物または果実から異物を除去するものなどに関する。
【背景技術】
【０００２】
従来、精米機などの穀物または果実を処理する装置においては、処理する穀物または果実に種々の異物が混入することがある。このような異物は、穀物または果実の植物の茎、葉などのほか、釘、ボルト、ねじ、針、金属のゴミなどもある。
【０００３】
【特許文献１】特開平６−２９６８８５号公報
【特許文献２】特開平８−１９２０６１号公報
【特許文献３】特開平９−６６２６４号公報
【発明の開示】
【発明が解決しようとする課題】
【０００４】
このような金属性の異物を除去するのは難しかった。本発明の目的は、このような金属性の異物または強磁性体または磁性体の異物を、処理する穀物または果実から容易に除去することである。
【課題を解決するための手段】
【０００５】
（１）請求項１及び２に係る発明
上記目的を達成するために、本発明の穀物または果実から異物を除去する装置では、穀物または果実が流れる側とその外側とを隔離する強磁性体または以外の素材からなる隔離体に対して、この隔離体の外側に装着される、穀物または果実が流れるに沿って長い、強磁性体または以外の素材からなる収納体と、  この収納体に収納される複数の磁石であって、この複数の磁石は互いにＮ極どうしまたはＳ極どうしを対向させかつ接近させて収納される複数の磁石とを備え、  上記穀物内または果実内に混入した強磁性体または磁性体の異物を吸着するようにした。
【０００６】
（２）請求項３及び４に係る発明
上記目的を達成するために、本発明の穀物または果実から異物を除去する装置では、隔離体の内側に装着される支持体と、  この支持体に装着される、上記穀物または果実の流れに沿って長い、強磁性体または以外の素材からなる収納体と、  この収納体に収納される複数の磁石であって、この複数の磁石は互いにＮ極どうしまたはＳ極どうしを対向させかつ接近させて収納される複数の磁石とを備え、  上記穀物内または果実内に混入した強磁性体または磁性体の異物を吸着するようにした。
【発明の効果】
【０００７】
（１）請求項１及び２に係る発明
本件穀物または果実から異物を除去する装置は、隔離体の穀物または果実が流れる側と反対側に装着されるから、隔離体の中に装着しないで済み、隔離体に穴を開けないで済み、装着が容易となり、穀物または果実の処理装置が完成した後の本装置の装着も容易となる。
【０００８】
また、複数の磁石は互いにＮ極どうしまたはＳ極どうしを対向させかつ接近させているので、磁石の磁力が他の磁石に吸収されず、磁石の磁力が隔離体を越えて、流れる穀物または果実の中までよく拡散し、穀物内または果実内の異物を確実に除去できるし、除去した異物を隔離体表面に確実に吸着しておくことができる。
【０００９】
さらに、磁石の収納体と隔離体とは、強磁性体または以外の素材からなるので、磁石の磁力が隔離体を越えて、流れる穀物または果実の中までよく拡散し、穀物内または果実内の異物を確実に除去できるし、除去した異物を隔離体表面に確実に吸着しておくことができる。
【００１０】
また、上記収納体の壁面には、上記複数の磁石の大きさより小さい隙間を有するまたは隙間を有さず、これにより上記Ｎ極どうしまたはＳ極どうしの反発によって、上記複数の磁石を外へ飛び出さないように規制しているので、Ｎ極どうしまたはＳ極どうしの反発があっても磁石の配置が安定し、安定した磁力を流れる穀物または果実の中までよく伝達できる。
【００１１】
さらに、上記収納体及び上記複数の磁石の間隔は当該磁石の大きさより大きいので、磁石の磁力が隣の収納体内の磁石にも吸収されない。上記磁石のＮ極どうしまたはＳ極どうしの間隔は、当該磁石の大きさより小さいので、同じ収納体内の磁石同士がより反発しあって、より多くの磁力が発散される。上記隔離体と上記磁石との間隔は、当該磁石の大きさより小さいので、磁石の磁力が隔離体をより多く越える。
【００１２】
（２）請求項３及び４に係る発明
また、本件穀物または果実から異物を除去する装置は、隔離体の穀物または果実が流れる内側に装着されるから、強磁性体または磁性体の異物をより容易に吸着できるし、隔離体が強磁性体または磁性体であっても、上記磁石の磁力が弱められてしまうことがない。
【００１３】
さらに、粒状または粉状の穀物または果実が流れの下流に沿って絞られ、上記収納体及び磁石に向かって絞られるテーパー体によって、穀物または果実及び異物を上記収納体及び磁石に向かって流すことができる。
【００１４】
上記テーパー体の下流側の先端から、上記収納体及び磁石の先端が上流に向かって突出しているので、テーパー体に穀物または果実が当たる直前、またはテーパー体で穀物または果実の流れが絞られるときに、強磁性体または磁性体の異物のみの流れにブレーキがかかり、異物が磁石に付着し易くなる。
【発明を実施するための最良の形態】
【００１５】
（１）穀物または果実から異物を除去する装置
図１乃至図４は穀物または果実から異物を除去する装置の構造を示す。隔離筒Ｐは長尺状の筒であり、この筒内を粒状または粉状の穀物または果実が流れる。この流れはブロア、ファン、送風機などに基づく風圧により、または穀物または果実の自重による。
【００１６】
この自重による場合には、隔離筒Ｐは垂直、斜めなどに配置される。この風圧による場合には、隔離筒Ｐは水平、斜め、垂直であり、下から上への自重に反する逆流も含まれる。隔離筒Ｐの素材はアルミニウム、銅、クロム、亜鉛、すず、マンガン、タングステン、ビスマス、これらの合金、木材、樹脂、ガラス、繊維、布、ゴム、紙などである。場合によって、ステンレス、ニッケル、コバルト、鉄などの、磁性体または強磁性体でも良いし、これらの合金でもよいし、ステンレスのように一部に磁性体または強磁性体を含む合金でもよい。
【００１７】
隔離筒Ｐは弱磁性体、常磁性体、反磁性体、フェリ磁性体などの、強磁性体または磁性体以外の素材からなる。しかし場合によって上記の強磁性体、磁性体若しくは強磁性体または磁性体を含む合金でもよい。強磁性体は、磁石を近づけると強く磁化され、磁石の磁力を吸収する。
【００１８】
この隔離筒Ｐは、粒状または粉状の穀物または果実が流れる経路において、この経路の穀物または果実が流れる内側とその外側とを隔離する。この隔離筒Ｐは、半円筒状でも良いし、ベルトコンベアの両側または片側に設けられた一対または単体の平板状もよい。
【００１９】
一対の環状で板状の上流装着環１、下流装着環２は、上記隔離筒Ｐの周囲に、着脱自在に、装着、固定される。この上流装着環１、下流装着環２はそれぞれ中央で半環部分に分割され、この各半環の端は重なりあって蝶軸棒３が貫通するとともに、上流装着環１及び下流装着環２にわたってこの蝶軸棒３が貫通し、これら半環部分どうしが開閉可能となっている。
【００２０】
この上流装着環１、下流装着環２の各半環の他の端それぞれには、上流装着環１と下流装着環２とを繋ぐ２枚の締付板４、４が溶接またはボルト留めで固定されている。この２枚の締付板４、４それぞれには、２つの締付穴５、５が形成されている。
【００２１】
この締付穴５、５にボルトとナットが装着されて締め付けられて、上流装着環１、下流装着環２の半環部分どうしが閉じられ、上流装着環１、下流装着環２が、上記隔離筒Ｐの周囲に固定される。このボルトとナットを緩めて外し、締付板４、４どうしを離間させれば、上流装着環１、下流装着環２が、上記隔離筒Ｐの周囲から外される。
【００２２】
上記下流装着環２の方には、６つの収納穴７…が等間隔に形成され、この収納穴７…内を、収納筒６…の底付近が溶接またはボルト留めで固定される。この収納筒６…の下流装着環２側には底板８が収納筒６…に一体形成または溶接されて閉じられている。
【００２３】
また、収納筒６…の上流装着環１側には栓９が収納筒６…に一体形成または溶接されて閉じられている。この栓９の外側面中央にはねじ穴１０が形成されている。この６本の収納筒６…のねじ穴１０…に対応する上流装着環１の位置には、６個のねじ穴１１…が形成されている。
【００２４】
上記上流装着環１、下流装着環２、蝶軸棒３、締付板４、収納筒６…、底板８、栓９、スペーサー２３は、上記隔離筒Ｐと同じ材質で、強磁性体または磁性体以外の材質または一部に強磁性体または磁性体を含む合金でもよい。しかし、これらの一部または全部は、隔離筒Ｐと異なる材質でもよいし、これらの各材質は、それぞれ同じでも、それぞれ異なっていてもよい。
【００２５】
（２）磁石体２１の構造
図５及び図６は、磁石体２１の構造を示す。上記収納筒６…の中には５個の円柱状の磁石２２…が一列に並んで収納されている。この各磁石２２…は、互いにＮ極どうしまたはＳ極どうしが対向されかつ接近されて収納される。
【００２６】
これらの磁石２２…の間には鉄などの強磁性体、樹脂製または強磁性体ではない金属製のスペーサー２３が介在されて挟まれる。このスペーサー２３は、円柱形の磁石２２…の直径と同じで、円柱形の磁石２２…の高さ／厚さより低い／薄い。このスペーサー２３の厚さが後述する、各磁石２２…の間隔となる。
【００２７】
したがって、これらの各磁石２２…は、互いに反発しあうが、これを押さえ込むように上記栓９が強く押し込まれて栓９が収納筒６…に溶接またはボルト留めで固定される。この磁石２２…の間隔、つまりＮ極どうしまたはＳ極どうしの間隔は、当該磁石２２…の大きさより小さいので、同じ収納筒６内の磁石２２同士がより反発しあって、より多くの磁力が発散される。
【００２８】
上記スペーサー２３の材質は、ステンレス、ニッケル、コバルト、鉄などの強磁性体、これらの合金、ステンレスのように一部に強磁性体を含む合金などとされてもよい。これにより、上記磁石２２…の端面のＮ極どうしまたはＳ極どうしと逆の極がスペーサー２３の両面に励磁／誘磁され、上記磁石２２…同士の反発が解消される。
【００２９】
しかし、スペーサー２３の周面には、上記励磁／誘磁された極と逆の極が励磁／誘磁されるので、ここから上記強いより多くの磁力が発散されることになる。したがって、磁石体２１全体としての磁力は低下せず、むしろ隔離筒Ｐ内に拡散される磁力はより強くなる。スペーサー２３の周面には、磁石２２…の端面の磁力の２倍または同じまたは数倍の強い磁極が励磁／誘磁されるからである。
【００３０】
この磁石２２…の間隔は、当該円柱状の磁石２２…の高さの０％乃至５０％、望ましくは１％乃至３５％、より望ましくは５％乃至２０％、さらに望ましくは１０乃至１５％とされる。上記０％では、磁石２２…の間隔は無く、磁石２２…どうしが接触している。
【００３１】
上記円柱状の磁石２２…の直径は高さより若干大きく、１．０倍乃至１．５倍、例えば１．２５倍ほどであり、磁石２２…は扁平に近い形状をしており、同じ長さの磁石体２１または収納筒６…において、Ｎ極どうしの数またはＳ極どうしの数をより多くでき、より多くの磁力が発散される。したがって、円柱状の磁石２２…の直径は高さよりかなり大きくてもよく、例えば１．５倍乃至５倍でもよい。
【００３２】
なお、逆に上記円柱状の磁石２２…の直径は高さより小さく、０．２倍乃至１．０倍、例えば０．４倍乃至０．７倍でもよい。この場合には、収納筒６…に収納される各磁石２２…の互いの反発力が小さくなり、収納筒６…への各磁石２２…の収納が容易になる。
【００３３】
上記磁石２２…は、数百ガウス乃至数千ガウス乃至数万ガウスの磁力を備え、ネオジム磁石、サマコバ磁石、フェライト磁石、アル二コ磁石などが用いられる。磁石２２…は全て同形同大であるが、異なっていてもよい。例えば高さが異なっていたり、全てまたは一部が角柱であったりしてもよい。
【００３４】
上記収納筒６…の壁面／側面は上記磁石２２…が通過できるような隙間を有さない。これにより上記Ｎ極どうしまたはＳ極どうしの反発によって、上記複数の磁石２２…が収納筒６…の外へ飛び出さないように規制される。なお、収納筒６…の壁面／側面に隙間が形成されたり、隙間のある網状であったりしてもよいが、この隙間は、磁石２２…の大きさより小さくされる。
【００３５】
上記円柱状の磁石２２…の外面と収納筒６…の内面との間は、ほとんど隙間がないかわずかな隙間しかない。これにより、円柱状の各磁石２２…の中心線が略一致して、円柱状の各磁石２２…の周縁が互いにずれない。この結果、各磁石２２…の各間における磁力の向きに偏りが生じず、隔離筒Ｐ内に磁力を均等に拡散させることができる。
【００３６】
なお、円柱状の磁石２２…の外面と収納筒６…の内面と間には、ある程度の隙間があってもよい。この場合スペーサー２３の外周と収納筒６…の内面と間にある程度の隙間があってもよいし、隙間が無くてもよい。
【００３７】
上記収納筒６…の栓９…のねじ穴１０…には、上記上流装着環１のねじ穴１１を挿通してねじが留められる。これにより、収納筒６…つまり磁石体２１と上流装着環１とがしっかり互いに連結固定される。また、上述のように、収納筒６…つまり磁石体２１と下流装着環２とは溶接またはねじ留めでしっかりと互いに連結固定されている。したがって、上流装着環１と下流装着環２とはしっかりと互いに連結固定される。
【００３８】
このような構造の磁石体２１によって、隔離筒Ｐ内を流れる上記穀物内または果実内に混入した強磁性体または磁性体の異物が吸着され、隔離筒Ｐの内壁面内にとどまり、粒状または粉状の穀物または果実から異物が除去される。このような異物は、例えば、釘、ボルト、ねじ、針、機械の部品またはこの部品の切れ端・破損、金属のゴミなどであって、上記磁石２２…に吸引される強磁性体または磁性体の異物である。
【００３９】
上記収納筒６は、隔離筒Ｐの外側に装着され、上記穀物または果実の流れに沿って長い形となっている。したがって、異物の流れる方向に沿って、磁力が長く分散され、異物を確実に吸引できる。
【００４０】
なお、このような磁石２２…の両端にはスペーサー２３が介在されるうえに、磁石２２…の外面と収納筒６の内面とは隙間があってもよい。この場合、全ての磁石２２…は、スペーサー２３…以外は収納筒６及び栓９の何処とも接触しない。したがって、収納筒６及び栓９をステンレス、鉄、ニッケルなどの強磁性体で構成しても、磁石２２…の磁力が収納筒６及び栓９に吸収されず、隔離筒Ｐ内に強い磁力を供給できる。
【００４１】
上記収納筒６内面と磁石２２…外面との間には隙間があってもよく、さらには収納筒６内面と磁石２２…外面との間には筒状の充填体が介在されてもよい。この充填体は非磁性体または強磁性体若しくは磁性体以外の材質からなる。強磁性体の材質であると、磁石体２１の磁力が低下してしまうからである。
【００４２】
（３）穀物または果実から異物を除去する本装置の作用または効果
上記下流装着環２の６つの収納穴７は等間隔になっているので、収納筒６…及び上記磁石体２１…（各複数の磁石２２…）は、上記隔離筒Ｐに対して間隔をあけて、等間隔で装着される。これにより、磁石２２…の磁力が隔離筒Ｐに対して偏らず、流れる穀物または果実に磁石２２…の磁力が均一に拡散し、異物の吸着が均等になる。
【００４３】
上記収納筒６…すなわち上記磁石体２１…（各複数の磁石２２…）の各間隔は当該磁石２２…の大きさより大きいので、磁石２２…の磁力が隣の収納筒６…すなわち隣の磁石体２１…内の磁石２２…に吸収されない。これにより、隔離筒Ｐ内に発せられる磁力が隣の磁石体２１…に取られず弱まらない。
【００４４】
上記隔離筒Ｐと、磁石体２１…（各複数の磁石２２…）との各間隔は、磁石２２…の大きさより小さいので、磁石２２…の磁力が隔離筒Ｐの隔壁をより多く貫通して越える。これにより、隔離筒Ｐ内に発せられる磁力が弱まらない。
【００４５】
収納筒６及び磁石体２１／複数の磁石２２…は、上記隔離筒Ｐの外側に装着される。したがって、隔離筒Ｐの中に本装置を装着しないで済み、隔離筒Ｐに穴を開けないで済み、装着が容易となり、穀物または果実の処理装置が完成した後の本装置の装着も容易となる。
【００４６】
上記収納筒６または上記磁石体２１（複数の磁石２２…）は、上記隔離筒Ｐに対して着脱自在である。したがって、本装置を装着する場所を状況に応じて随時変更できるし、穀物または果実の処理装置が完成した後の本装置の装着も容易となる。
【００４７】
図６は、隣り合う磁石体２１、２１の位置関係と各Ｎ極と各Ｓ極との位置関係を示す。隣り合う磁石体２１…における各磁石２２…のＮ極とＳ極の配列の順番は同じとなっている。これにより、ある磁石体２１の対向し合う一箇所のＮ極から隣の磁石体２１の一番近いＳ極より一番近いＮ極の方がより近くなる。また、ある磁石体２１の対向し合う一箇所のＳ極から隣の磁石体２１の一番近いＮ極より一番近いＳ極の方がより近くなる。
【００４８】
これにより、磁石２２…のある極から異なる極ができるだけ離間され、この極が同じ極で囲まれるので、磁石２２…の各極の磁力が吸収されにくくなり、磁石２２…から隔離筒Ｐに入り込む磁力が多くなり、流れる穀物または果実の中に入りこむ磁力も多くなり、穀物内または果実内の異物を確実に除去できるし、除去した異物を隔離筒Ｐ表面に確実に吸着しておくことができる。
【００４９】
なお、隣り合う磁石体２１…における各磁石２２…のＮ極とＳ極の配列の順番は異なっていて、互い違い／交互になっていてもよい。隣り合う磁石体２１…の間隔が磁石２２…の大きさ／直径／高さより大きければ、これでもよい。しかし、隣り合う磁石体２１…の間隔が磁石２２…の大きさ／直径／高さより小さければ、隣り合う磁石体２１…の間隔が磁石２２…の大きさ／直径／高さより大きいことが望ましい。
【００５０】
上記穀物内または果実内に混入して除去される異物は、粒状の穀物または果実の粒子の大きさより小さいまたは略同じ大きさである。大きい異物は、粒状の穀物または果実の粒が通過する網を一回または複数回通過すれば除去される。むろん、大きくてもよい。このような粒より大きい異物でも磁石２２…によって吸引／吸着される。
【００５１】
穀物内または果実内に混入して除去される異物は、粉状の穀物または果実の粒子の大きさより大きい。むろん、略同じ大きさでもよいし、小さくてもよい。粉状の穀物または果実では、粉状の穀物または果実の粒子の大きさより大きい異物は網などで除去できるが、略同じ大きさの異物と小さい異物は網では除去できず、本装置で除去できる。
【００５２】
本装置を取り付けた隔離筒Ｐの下流側には、点検口などの蓋が取り付けられ、この蓋を開いて、本装置で吸引・吸着された異物を除去できる。このような点検口蓋は、後述する退避部Ｅに設けられてもよい。また、本装置と隔離筒Ｐの一部とを一体で隔離筒Ｐから着脱可能にしてもよい。このようにしても、本装置で吸引・吸着された異物を除去できる。
【００５３】
さらには、本装置を取り付けた処理装置を停止後、処理した穀物などを取り出した後、本装置を隔離筒Ｐから取り外せば、異物への磁力の供給が停止されて、異物が隔離筒Ｐの端から排出される。
【００５４】
これらの異物除去にあたっては、本装置の周囲に、本装置全体を覆う、強磁性体または磁性体からなる円筒（磁気遮蔽体）を巻いて（装着して）もよい。これにより、隔離筒Ｐ内への磁力の供給をかなり弱めることができ、異物が隔離筒Ｐの端から排出される。このような円筒（磁気遮蔽体）は、通常以外に角筒や、磁石体２１ひとつずつを外側から覆うまたは装着するような波型でもよい。
【００５５】
上記磁石体２１は電磁石としてもよい。この電磁石への電流の供給を停止することによって、異物への磁力の供給が停止されて、異物が隔離筒Ｐの端から排出される。このような電磁石であれば、磁力の発生／停止の切換えが容易になる。
【００５６】
（４）第二実施例
図８、図９及び図１０は第二実施例を示す。上記隔離筒Ｐの途中は所定長さに渡って切断切除され、同径同形同大の別の装着筒３１が装着される。この装着筒３１の内側下方には装着筒３１の中心を通って支持板３２が溶接またはボルトなどで固定装着されている。この支持板３２の中央には取付筒３３が溶接などで固定されている。この取付筒３３の底の下流側には、上記支持板３２の底側／下流側の一部が貫通していてストッパ３４となっている。
【００５７】
この取付筒３３内には、円柱状の支持キャップ３５が挿入され、上記ストッパ３４に当接して固定される。この支持キャップ３５の外側面と取付筒３３の内側面とはややテーパー状であり、押し込みが止まるところで取付筒３３は支持キャップ３５に動かないように固定される。この装着筒３１の上縁／上流側縁は、断面が尖っていて、支持キャップ３５の外面に向かって／沿って尖っていて、糠などが付着しにくくなっている。
【００５８】
この支持キャップ３５の中心にはねじ穴３６が隔離筒Ｐの中心に沿って長手方向に延びている。このねじ穴３６には位置調節ねじ３７の下端が螺合されている。この位置調節ねじ３７の上端は、上記磁石２２…の入った収納筒６（磁石体４６）の下端の栓９のねじ穴１０に螺合されている。
【００５９】
したがって、この位置調節ねじ３７の上に、上記磁石２２…及びスペーサー２３…の収納された収納筒６が固定され、この磁石２２…入りの収納筒６（磁石体４６）は装着筒３１及び隔離筒Ｐの中心線に沿って配置され、上記穀物または果実の流れに沿って長い状態で配置される。また、この磁石２２…入りの収納筒６を回すことによって、磁石２２…入りの収納筒６の上下位置が調整される。
【００６０】
この磁石２２…入りの収納筒６（磁石体４６）の上端／上流側は、上記第一実施例とは異なり、底板８ではなく円錐状の突端３８となって尖っている。これにより、流れてくる粒状または粉状の穀物または果実が、磁石２２…入りの収納筒６の上縁で引っ掛かってしまうことがなくなる。
【００６１】
上記装着筒３１の上縁と上記隔離筒Ｐの下縁とは外方に延出され環状のつば３９、３９が形成されている。このつば３９、３９との間には、テーパー板４０のつば４１が挟まれて固定されている。このテーパー板４０の傾斜角は１０度乃至８０度、２０度乃至７０度、３０度乃至６０度、３５度乃至５５度、４０度乃至５０度、例えば４５度である。
【００６２】
このテーパー板４０の下端の口径は、装着筒３１及び隔離筒Ｐの内径の３０％乃至９５％、４０％乃至９０％、５０％乃至８５％、６０％乃至８０％、例えば７０％乃至７５％である。したがって、このテーパー板４０は上記磁石２２…入りの収納筒６（磁石体４６）が装着される付近の隔離筒Ｐの内側のやや上流に配置される。
【００６３】
このテーパー板４０によって、粒状または粉状の穀物または果実の流れが下流に沿って絞られ、また上記磁石２２…入りの収納筒６（磁石体４６）に向かって絞られることになる。これにより、穀物または果実及び異物を上記磁石２２…入りの収納筒６に向かって流すことができる。
【００６４】
上記テーパー板４０の下流側の先端から、上記磁石２２…入りの収納筒６（磁石体４６）の先端が上流に向かって突出している。この突出の量は、上記収納体に収納される複数の磁石の個数の１％乃至９９％、５％乃至９０％、１０％乃至６０％、１５％乃至４０％、２０％乃至３０％である。これにより、テーパー板４０で穀物または果実の流れが絞られるときに、強磁性体または磁性体の異物のみの流れにブレーキがかかり、この異物が磁石に付着し易くなる。
【００６５】
この装着筒３１は、隔離筒Ｐの建設時に隔離筒Ｐにもともと取り付けられていてもよい。また、隔離筒Ｐの途中が切断されて、この切断箇所に装着筒３１が後から取り付けられてもよい。この装着筒３１の側面には円形の大きな窓４３が開けられている。この窓４３に対して扉４４が水平方向かつ外に開閉可能に取り付けられている。この扉４４は窓４３よりやや大きく、扉４４は留め金４５によって装着筒３１の外面に固定される。
【００６６】
装着筒３１、支持板３２、取付筒３３、ストッパ３４、支持キャップ３５、位置調節ねじ３７、突端３８、つば３９、テーパー板４０、つば４１、扉４４、留め金４５、バンド４２の材質は、上述の隔離筒Ｐと同じ材質で、強磁性体または磁性体以外の材質または一部に強磁性体または磁性体を含む合金でもよい。しかし、これらの一部または全部は、隔離筒Ｐと異なる材質でもよいし、これらの各材質は、それぞれ同じでも、それぞれ異なっていてもよい。
【００６７】
（５）第二実施例の取り付け、清掃
上記装着筒３１の下縁と上記隔離筒Ｐの上縁とは外方に延出され同様に環状のつば３９、３９が形成されている。これら隔離筒Ｐの上縁のつば３９、３９と隔離筒Ｐの下縁のつば３９、３９とには、断面「Ｕ」字状のバンド４２が巻き付けられている。これにより、装着筒３１が上下の隔離筒Ｐに固定されるし、バンド４２を外して、装着筒３１が隔離筒Ｐから取り外されて、分解清掃が可能となっている。
【００６８】
上記留め金４５を解錠して、窓４３を開け、支持キャップ３５を取付筒３３から引き抜いて、磁石２２…入りの収納筒６（磁石体４６）を装着筒３１の外に取り出し、磁石２２…入りの収納筒６の外面に付いた異物や糠などを取り除くことができる。この糠などは、上記粒状または粉状の穀物または果実の粉、その他のゴミ、ほこりなどである。また、この開いた窓４３から上記テーパー板４０の下縁の糠など、支持板３２上縁の糠など、ストッパ３４上縁の糠など、取付筒３３上縁の糠なども布などで取り除いて清掃ができる。
【００６９】
さらに、装着筒３１全体を清掃するには、装着筒３１の上下のバンド４２、４２を外して、装着筒３１を隔離筒Ｐから取り外し、装着筒３１全体を清掃することができる。この場合、上述した糠などが付着して布などで清掃する箇所のほか、テーパー板４０を装着筒３１から分離できるので、テーパー板４０の表裏を清掃できる。特に、テーパー板４０の裏側と装着筒３１の内側との狭い隙間に糠などがたまりやすい。
【００７０】
（６）穀物または果実から異物を除去する第二実施例の作用または効果
上記テーパー板４０によって、テーパー板４０の上流から流れてくる、粒状または粉状の穀物または果実が下流に沿って絞られ、また上記磁石２２…入りの収納筒６（磁石体４６）に向かって絞られる。これにより、穀物または果実及び異物が上記磁石２２…入りの収納筒６に向かって流され、異物が磁石２２…入りの収納筒６（磁石体４６）に吸着され易くなる。
【００７１】
テーパー板４０の角度とテーパー板４０の下端の口径とは、粒状または粉状の穀物または果実の流量または流速度に応じて変更される。この流量が大きくなるほど、テーパー板４０の下端の口径は大きくなり、テーパー板４０の角度はテーパー板４０の下端の開口が開くように大きくなる。また、この流速度が大きくなるほど、テーパー板４０の下端の口径は小さくなり、テーパー板４０の角度はテーパー板４０の下端の開口が閉じるように小さくなる。
【００７２】
これにより、テーパー板４０で、粒状または粉状の穀物または果実が滞留することなく円滑に流れる。このようなテーパー板４０があることによって、隔離筒Ｐ及び装着筒３１内を中心線から離れて周縁に近い部分を異物が流れないようにでき、異物を確実に吸着できる。
【００７３】
テーパー板４０の角度がテーパー板４０の下端の開口が開くように大きくなるときには、またはテーパー板４０の下端の口径が大きくなるとき、磁石２２…入りの収納筒６（磁石体４６）の長さは長くなる。また、テーパー板４０の角度がテーパー板４０の下端の開口が閉じるように小さくなるときには、またはテーパー板４０の下端の口径が小さくなるとき、磁石２２…入りの収納筒６（磁石体４６）の長さは短くしてもよい。
【００７４】
上記磁石２２…入りの収納筒６（磁石体４６）の先端は、テーパー板４０の下流側の先端の開口部から上流に向かって突出している。この突出の量は、上記収納筒６に収納される複数の磁石２２…の個数の１％乃至９９％、５％乃至９０％、１０％乃至６０％、１５％乃至４０％、望ましくは２０％乃至３０％である。
【００７５】
これにより、テーパー体で穀物または果実の流れが絞られるときに、強磁性体または磁性体の異物のみが磁石体４６の方に引き寄せられてブレーキがかかり、または異物のみの流れの方向が変わり、粒状または粉状の穀物または果実の流れに異物が押されなくなり、異物が磁石に付着し易くなる。
【００７６】
図１０に示すように、磁石２２…入りの収納筒６（磁石体４６）の上下位置を変更するときには、位置調節ねじ３７に対して、栓９とともに磁石２２…入りの収納筒６（磁石体４６）を回せばよい。これにより、磁石２２…入りの収納筒６（磁石体４６）の先端の、テーパー板４０の下流側の先端の開口部から上流に向かって突出量を変更でき調整でき、上記突出量の比率に調整できる。
【００７７】
上記磁石２２…入りの収納筒６（磁石体４６）の円錐形の突端３８の内部は充填されており、この突端３８の素材は、収納筒６と同じ強磁性体または磁性体である。したがって、突端３８全体及び突端３８の先端にも、磁石２２…の磁力がよく伝わり、異物を突端３８においても強く吸引または吸着できる。
【００７８】
本件穀物または果実から異物を除去する装置は、隔離体の穀物または果実が流れる内側に装着されるから、強磁性体または磁性体の異物をより容易に吸着できるし、隔離体が強磁性体または磁性体であっても、上記磁石の磁力が弱められてしまうことがない。
【００７９】
この第二実施例の他の構成、作用、効果は、上記第一実施例と同じであり、これらの説明は本実施例でも記載されているものとするし、本実施例の記載内容も上記第一実施例にも記載されているものとする。第二実施例で記載されていないことは、この他の実施例が参照されるし、第一実施例で記載されていないことは、当該第一実施例以外の実施例が参照される。
【００８０】
（７）その他の実施例
図７は別の実施例を示す。隔離筒Ｐの本装置の下流側は外側に若干膨らんで太さが太くなって退避部Ｅが形成されている。この退避部Ｅには、穀物または果実の流れから異物が退避して外れ、上記複数の磁石２２…によって吸着された異物が退避される。
【００８１】
これにより、吸引／吸着した異物が、穀物または果実の流れから隔離され、穀物または果実が流れている最中でも、吸引／吸着した異物を取り出すことができる。このような退避部Ｅは、湾曲した凹状である。
【００８２】
このような退避部Ｅは、テーパー状、隔離筒Ｐの長手方向に沿って、Ｖ字形、コ字形、Ｕ字形、三角形、Ｊ字形、Ｌ字形、曲線形状、丸みを帯びた段差のある形状、丸みを帯びた凹凸のある形状などでもよい。
【００８３】
このような退避部Ｅは、隔離筒Ｐの長手方向に沿った溝条でもよいし、隔離筒Ｐの長手方向に対して斜め方向または螺旋状の溝条でもよい。このような退避部Ｅは、本装置の下流側のほか、本装置と同じ位置に設けられてもよい。
【００８４】
（８）他の実施の形態
本発明は、上記実施例に限定されず、種々変更可能である。例えば、粒状または粉状の穀物または果実は、米、麦、とうもろこし、そばなどの穀物、胡椒、ナッツ類、豆類、ゴマ類、干しぶどう、オリーブなどの果実、粒状または粉状の菓子、卵、食肉、魚介類、粒状または粉状の食品などでもよい。本装置が装着される処理装置は、精米機、脱穀機、剥皮機、研磨機、製粉機、籾摺（もみすり）機、脱禾孚機、精穀機、研穀機、穀粒機、胚除去機、芒（のぎ）除去機などがある。
【００８５】
上記収納筒６…の底板８の厚さは収納筒６…の側壁の厚さと略同じである。上記栓９の厚さは底板８の厚さの数倍であるが、底板８の厚さと同じでもよい。収納筒６…の栓９（天板）付近は、上流装着環１に開けられた収納穴７に溶接またはボルト留めで固定されてもよい。
【００８６】
上記収納筒６…及び上記磁石体２１…（各複数の磁石２２…）は、上記隔離筒Ｐに対して等間隔ではない状態で装着されてもよい。この場合、隔離筒Ｐが傾斜していたり水平になっていたりして、隔離筒Ｐの下側に磁石体２１…が集中して配置される。これにより、流れる粒状または粉状の穀物または果実の流量が偏る側により強い磁力が供給される。
【００８７】
上記隔離筒Ｐまたは装着筒３１の形状は、円筒のほか、角筒、断面形状が丸みを帯びた段差のある形状、丸みを帯びた凹凸のある形状などでもよい。また穀物または果実から異物を除去する本装置が装着される隔離筒Ｐまたは装着筒３１の数は複数でもよい。隔離筒Ｐまたは装着筒３１は長手方向に沿って真直ぐでも湾曲していていてもよい。さらに隔離筒Ｐまたは装着筒３１の太さは途中で太くなったり細くなったりして太さが変化していてもよいしテーパー状でもよい。
【００８８】
上記収納筒６…すなわち上記磁石体２１…（各複数の磁石２２…）の各間隔は当該磁石２２…の大きさより小さくても同じでもよいし、各間隔が不均一でもよい。磁石２２…の磁力が隣の収納筒６…すなわち隣の磁石体２１…内の磁石２２…に吸収され易くなるが、その分磁石体２１…の数を増やすことになり、磁力の総量は増える。
【００８９】
上記隔離筒Ｐと、磁石体２１…（各複数の磁石２２…）との各間隔は、磁石２２…の大きさより小さくても同じでもよいし、各間隔が不均一でもよい。磁石体２１…の各間隔は不均一でもよい。これに応じて、各スペーサー２３の厚さも不均一となる。
【００９０】
上記６個の磁石体２１…の数、５個の磁石２２…の数は、これに限られるものではなく、これ以上でも、これ以下でもよく、また単数でもよい。このような変更は、隔離筒Ｐの太さや粒状または粉状の穀物または果実の流量／質量の変化に応じて実行される。
【００９１】
上記収納筒６…及び磁石体２１は筒状及び円柱状のほか、隔離筒Ｐの長手方向に沿って斜めまたは螺旋状でもよい。これにより、粒状または粉状の穀物または果実の流れに対して、異物の流れの向きを変えることができ、穀物または果実から異物を除去し易くなる。収納筒６…及び磁石体２１は複数まとめられて束ねられてもよい。
【００９２】
収納筒６…内に収納される磁石２２…は一列であるが複数列であってもよい。この場合でも、各列のＮ極とＳ極は互いの反発力に抗して対向して接近される。この複数列によって、磁石体２１の磁力がより強くなる。
【００９３】
磁石体２１…（各複数の磁石２２…）は環状にされ、隔離筒Ｐまたは装着筒３１の周囲に多段に環状に配置されてもよい。磁石体２１…（各複数の磁石２２…）は螺旋状にされ、隔離筒Ｐまたは装着筒３１の周囲に多段に螺旋状に配置されてもよい。
【００９４】
上記テーパー板４０は、板状のほか、網状、複数の方形板が環状に配列されたもの、複数の棒が環状に配列されたもの、三角錐台状または四角錐台状などの角錐台状、半円環状、３／４円の環状または１／４円の環状などのテーパー板の一部のみなどでもよい。テーパー板４０の傾斜方向は、装着筒３１の中心方向ではなく、中心からずれて偏心していてもよい。
【００９５】
このテーパー板４０は強磁性体とされて、このテーパー板４０にも磁石が付着されてもよいし、磁石体２１…（各複数の磁石２２…）に強磁性体によって連結・繋がってもよい。これにより、テーパー板４０に上記異物が当たる段階で、異物を吸着できるまたは吸引して流れにブレーキをかけることができる。
【００９６】
また、磁石２２…入りの収納筒６（磁石体４６）は、隔離筒Ｐまたは装着筒３１の中心からずれた位置に偏心していてもよい。このような偏心は、隔離筒Ｐおよび／または装着筒３１が傾斜または横向きの時に有効である。
【００９７】
テーパー板４０の下端の開口部は、水平な正円状ではなく、傾斜した楕円状、凹凸状、波状、のこぎり波状などであってもよい。このような形状は、隔離筒Ｐおよび／または装着筒３１が傾斜または横向きの時に有効である。テーパー板４０の表面または裏面は、摩擦の少ない滑らかな面であるが、突条が形成されていたり、スリットが形成されていたり、凹凸条が形成されていてもよい。
【００９８】
テーパー板４０は板状のほか、円柱をテーパー状にくり抜いてテーパー板４０の裏側が充填されていてもよい。この場合、テーパー板４０の先端は、円筒状、円柱状になっていてもよいし、逆テーパー状になっていてもよい。テーパー板４０は省略可能であり、このとき磁石２２…入りの収納筒６（磁石体４６）が太くされてもよい。
【００９９】
上記支持板３２は、板状のほか、棒状、針金状、網状などでもよく、１体ではなく複数設けられてもよい。支持板３２は、磁石２２…入りの収納筒６（磁石体４６）の下端側／下流側ではなく、上端側／上流側に設けられてもよいし、テーパー板４０の裏面または開口先端と磁石体４６の側面／上端／上流側とが連結されるものでもよい。支持板３２がテーパー板４０の一部を構成するときには、支持板３２は省略可能となる。
【０１００】
上記図７の退避部Ｅは、装着筒３１に設けられていてもよい。装着筒３１内に配置される磁石２２…入りの収納筒６（磁石体４６）の数は一本ではなく複数本でもよい。この場合、磁石体４６の数に応じて、テーパー板４０の数も複数になってもよい。
【０１０１】
上記磁石２２…入りの収納筒６（磁石体４６）の先端の、テーパー板４０の開口部からの突出量は「０」でもよいし、磁石２２…入りの収納筒６（磁石体４６）の先端は、この開口部から下側／下流側に位置してもよい。
【０１０２】
上記磁石２２…入りの収納筒６（磁石体４６）の先端の突端３８の形状は、円錐のほか、角錐、円錐台、角錐台、半球形、半卵型等の形状でもよく、突端３８の表面には、直線溝、直線突条、螺旋溝、螺旋突条などが形成されて凹凸があってもよい。突端３８の中は空洞でもよい。
【０１０３】
磁石２２…入りの収納筒６（磁石体４６）の外周面に螺旋状の突条または溝が形成されたり、磁石体２１が隔離筒Ｐまたは装着筒３１の外側に設けられるとき、この隔離筒Ｐまたは装着筒３１の内壁面に螺旋状の突条または溝が形成されてもよい。これにより、磁石２２…によって引き寄せられた異物がこれらの螺旋状の突条または溝に沿って移動し、粒状または粉状の穀物または果実の流れから分離され、異物が吸着され易くなる。
【０１０４】
（９）他の発明の効果
[１]粒状または粉状の穀物または果実が流れる経路において、この経路の穀物または果実が流れる側とその外側とを隔離する強磁性体または磁性体以外の素材からなる隔離体に対して、この隔離体の外側に装着される、この穀物または果実の流れに沿って長い、強磁性体または磁性体以外の素材からなる収納体と、  この収納体に収納される複数の磁石であって、この複数の磁石は互いにＮ極どうしまたはＳ極どうしを対向させかつ接近させて収納される複数の磁石とを備え、  上記穀物内または果実内に混入した強磁性体または磁性体の異物を吸着することを特徴とする穀物または果実から異物を除去する装置。
【０１０５】
[２]粒状または粉状の穀物または果実が流れる経路において、この経路の穀物または果実が流れる側とその外側とを隔離する隔離体に対して、この隔離体の内側に装着される支持体と、  この支持体に装着される、上記穀物または果実の流れに沿って長い、強磁性体または磁性体以外の素材からなる収納体と、  この収納体に収納される複数の磁石であって、この複数の磁石は互いにＮ極どうしまたはＳ極どうしを対向させかつ接近させて収納される複数の磁石とを備え、  上記穀物内または果実内に混入した強磁性体または磁性体の異物を吸着することを特徴とする穀物または果実から異物を除去する装置。
【０１０６】
[３]上記収納体の壁面には、上記複数の磁石の大きさより小さい隙間を有するまたは隙間を有さず、これにより上記Ｎ極どうしまたはＳ極どうしの反発によって、上記複数の磁石を外へ飛び出さないように規制し、この収納体内に上記複数の磁石が収納されることを特徴とする請求項１または２記載の穀物または果実から異物を除去する装置。  これにより、Ｎ極どうしまたはＳ極どうしの反発があっても磁石の配置が安定し、安定した磁力を流れる穀物または果実の中までよく伝達できる。
【０１０７】
[４]上記収納体及び上記複数の磁石は、上記隔離体に対して間隔をあけて、または等間隔で複数装着され、この間隔は当該磁石の大きさより大きく、上記磁石のＮ極どうしまたはＳ極どうしの間隔は、当該磁石の大きさより小さく、上記隔離体と上記磁石との間隔は、当該磁石の大きさより小さいことを特徴とする請求項１、２または３記載の穀物または果実から異物を除去する装置。
【０１０８】
これにより、上記収納体及び上記複数の磁石の間隔は当該磁石の大きさより大きいので、磁石の磁力が隣の収納体内の磁石にも吸収されない。また、上記磁石のＮ極どうしまたはＳ極どうしの間隔は、当該磁石の大きさより小さいので、同じ収納体内の磁石同士がより反発しあって、より多くの磁力が発散される。さらに、上記隔離体と上記磁石との間隔は、当該磁石の大きさより小さいので、磁石の磁力が隔離体をより多く越える。
【０１０９】
[５]上記隔離体は長尺の筒状であり、この筒内を上記粒状または粉状の穀物または果実が流れ、この流れは風圧による、または穀物または果実の自重により、上記収納体及び複数の磁石は、上記筒の外側に装着されることを特徴とする請求項１、３または４記載の穀物または果実から異物を除去する装置。  これにより、本装置に、流れる粒状または粉状の穀物または果実が付着せず奔走地の掃除が容易で故障しにくくなり、穀物または果実の処理装置が完成した後の本装置の装着も容易となる。
【０１１０】
[６]上記収納体または上記複数の磁石は、上記隔離体に対して着脱自在であることを特徴とする請求項１、２、３、４または５記載の穀物または果実から異物を除去する装置。  これにより、本装置を装着する場所を状況に応じて随時変更できるし、穀物または果実の処理装置が完成した後の本装置の装着も容易となる。
【０１１１】
[７]上記収納体及び上記複数の磁石は、上記隔離体に対して間隔をあけて、または等間隔で複数装着されることを特徴とする請求項１、２、３、４、５または６記載の穀物または果実から異物を除去する装置。  これにより、磁石の磁力が隔離体に対して偏らず、流れる穀物または果実に磁石の磁力が均一に拡散し、異物の吸着が均等になる。
【０１１２】
[８]上記収納体及び上記複数の磁石は、上記隔離体に対して間隔をあけて、または等間隔で複数装着され、隣り合う収納体における各磁石のＮ極とＳ極の配列の順番は同じであることを特徴とする請求項１、２、３、４、５、６または７記載の穀物または果実から異物を除去する装置。
【０１１３】
これにより、磁石のある極から異なる極ができるだけ離間され、この極が同じ極で囲まれるので、磁石の各極の磁力が吸収されにくくなり、磁石から隔離体に入り込む磁力が多くなり、流れる穀物または果実の中に入りこむ磁力も多くなり、穀物内または果実内の異物を確実に除去できるし、除去した異物を隔離体表面に確実に吸着しておくことができる。
【０１１４】
[９]上記隔離体において、上記収納体及び上記複数の磁石の装着される位置から下流側には、穀物または果実の流れから異物が退避して外れ、上記複数の磁石によって吸着された異物の退避部が設けられていることを特徴とする請求項１、２、３、４、５、６、７または８記載の穀物または果実から異物を除去する装置。  これにより、吸引／吸着した異物を、穀物または果実の流れから隔離でき、穀物または果実が流れている最中でも、吸引／吸着した異物を取り出すことができる。
【０１１５】
[１０]上記穀物内または果実内に混入して除去される異物は、粒状の穀物または果実の粒子の大きさより小さい、略同じ大きさまたは大きい、若しくは粉状の穀物または果実の粒子の大きさより大きい、略同じ大きさまたは小さいことを特徴とする請求項１、２、３、４、５、６、７、８または９記載の穀物または果実から異物を除去する装置。  これにより種々の大きさの異物を吸引／吸着して除去できる。
【０１１６】
[１１]上記収納体及び磁石が装着される付近の隔離体の内側のやや上流には、粒状または粉状の穀物または果実が流れの下流に沿って絞られ、上記収納体及び磁石に向かって絞られるテーパー体が装着されていることを特徴とする請求項２記載の穀物または果実から異物を除去する装置。これにより、穀物または果実及び異物を上記収納体及び磁石に向かって流すことができ、隔離体の内側を収納体及び磁石から離れて異物が流れないようにでき、異物を確実に吸着できる。
【０１１７】
[１２]上記テーパー体の下流側の先端から、上記収納体及び磁石の先端が上流に向かって突出していることを特徴とする請求項１１記載の穀物または果実から異物を除去する装置。これにより、テーパー体で穀物または果実の流れが絞られるときに、強磁性体または磁性体の異物のみの流れにブレーキがかかり、異物が磁石に付着し易くなる。
【０１１８】
[１３]上記突出の量は、上記収納体に収納される複数の磁石の個数の１％乃至９９％、５％乃至９０％、１０％乃至６０％、１５％乃至４０％、２０％乃至３０％であることを特徴とする請求項１２記載の穀物または果実から異物を除去する装置。これにより、テーパー体で穀物または果実の流れが絞られるときに、強磁性体または磁性体の異物のみの流れにブレーキがかかり、異物が磁石に付着し易くなる。
【０１１９】
[１４]上記収納体及び磁石の上流側の先端は尖っていることを特徴とする請求項１１記載の穀物または果実から異物を除去する装置。これにより、上記収納体及び磁石の上流側に、粒状または粉状の穀物または果実など、さらにはこれらの糠などが付着しにくくなる。
【０１２０】
[１５]上記テーパー体に対する上記収納体及び磁石の位置は調整されて変更可能であることを特徴とする請求項１１、１２または１３記載の穀物または果実から異物を除去する装置。これにより、テーパー体の下流側の先端から、上記収納体及び磁石の先端が上流に向かって突出する量を最適に調整できる。
【産業上の利用可能性】
【０１２１】
流れる粒状または粉状の穀物または果実に混入している異物が、流れる経路の外側の本装置によって捕捉されて除去される。隔離筒Ｐの外側に装着された６本の収納筒６…の中には、間にスペーサー２３…を挟んで、５個の円柱状の磁石２２…が一列に並んで収納される。この各磁石２２…は、互いにＮ極どうしまたはＳ極どうしが対向されかつ接近される。したがって、磁石２２…の磁力が他の磁石２２…に吸収されず、磁石２２…の磁力が隔離筒Ｐを越えて、流れる穀物または果実の中までよく伝わり、穀物内または果実内の異物が確実に除去されるし、除去した異物が隔離筒Ｐ表面に確実に吸引／吸着される。
【図面の簡単な説明】
【０１２２】
【図１】穀物または果実から異物を除去する装置の斜視図を示す。
【図２】穀物または果実から異物を除去する装置の側面を示す。
【図３】穀物または果実から異物を除去する装置の背面を示す。
【図４】穀物または果実から異物を除去する装置を隔離筒Ｐからはずした状態を示す。
【図５】磁石体２１（複数の磁石２２…）の構造を示す。
【図６】隣り合う磁石体２１、２１の位置関係と各Ｎ極と各Ｓ極との位置関係を示す。
【図７】隔離筒Ｐに退避部Ｅが形成されている別の実施例を示す。
【図８】穀物または果実から異物を除去する装置の第二実施例の斜視図を示す。
【図９】穀物または果実から異物を除去する装置の第二実施例の断面図を示す。
【図１０】テーパー板４０に対する、磁石体４６の上下位置を変更する状態を示す。
【符号の説明】
【０１２３】
１…上流装着環、２…下流装着環、
３…蝶軸棒、４…締付板、
５…締付穴、６…収納筒（収納体）、
７…収納穴、８…底板、
９…栓、１０…ねじ穴、
１１…ねじ穴、２１…磁石体、
２２…磁石、２３…スペーサー、
３１…装着筒、３２…支持板（支持体）、
３３…取付筒（支持体）、３４…ストッパ、
３５…支持キャップ（支持体）、３６…ねじ穴、
３７…位置調節ねじ、３８…突端、
３９…つば、４０…テーパー板（テーパー体）、
４１…つば、４２…バンド、
４３…窓、４４…扉、
４５…留め金、４６…磁石体、
Ｐ…隔離筒（隔離体）、Ｅ…退避部。
【図１】
0004993511.tif 000002
【図２】
0004993511.tif 000003
【図３】
0004993511.tif 000004
【図４】
0004993511.tif 000005
【図５】
0004993511.tif 000006
【図６】
0004993511.tif 000007
【図７】
0004993511.tif 000008
【図８】
0004993511.tif 000009
【図９】
0004993511.tif 000010
【図１０】
0004993511.tif 000011